(57)【特許請求の範囲】
【請求項１】
棚板と、この棚板の受け穴部の内面に、筒状の棚板ストッパーを介して嵌合し上記棚板を支持する支柱とを備え、
上記棚板の受け穴部は、断面が略多角形の内面で構成されているとともに、当該略多角形の各内面が上下方向にテーパ面をなし、かつ当該各内面のテーパ面は円周方向に下向きのテーパ面と上向きのテーパ面とが交互に繰り返されて構成されており、
上記棚板ストッパーは、上記支柱の所望位置にて外装される構造で構成され、その外周面には上記棚板の受け穴部のテーパ面とは逆テーパとなる上向きのテーパ面と下向きのテーパ面とが円周方向に交互に繰り返されて構成されており、
上記棚板は、所望位置にて支柱に外装された上記棚板ストッパーに、棚板の受け穴部の内面のテーパ面と棚板ストッパーの外面のテーパ面相互間のくさび作用によって固定されることを特徴とする組立式棚。
【請求項２】
前記棚板の受け穴部の内面のテーパ面と、前記棚板ストッパーの外面のテーパ面とはそれぞれ平面である請求項１記載の組立式棚。
【請求項３】
前記棚板の受け穴部の内面のテーパ面と、前記棚板ストッパーの外面のテーパ面とは、それぞれ、少なくとも４つの面で構成されている請求項１又は２記載の組立式棚。
【請求項４】
前記棚板の受け穴部の内面のテーパ面と、前記棚板ストッパーの外面のテーパ面とは、いずれも傾斜方向に向かって幅が狭くなる請求項１乃至３のいずれかの項に記載の組立式棚。
【請求項５】
前記棚板ストッパーは、着脱自在な割構造である請求項１乃至４のいずれかの項に記載の組立式棚。
【請求項６】
前記支柱の外面には、軸方向に間隔をおいて凹部が設けられており、前記棚板ストッパーの内面には前記支柱の凹部に嵌合する凸部が設けられている請求項１乃至５のいずれかの項に記載の組立式棚。
【請求項７】
前記支柱の凹部は周溝であり、前記棚板ストッパーの内面の凸部は突条である請求項６記載の組立式棚。
【請求項８】
前記棚板ストッパーには、前記支柱の凹部のうち少なくとも２つの凹部に嵌合する凸部が設けられている請求項６又は７記載の組立式棚。
【発明の詳細な説明】
【０００１】
【発明の属する技術分野】
本発明は、組立式棚に関する。
【０００２】
【従来の技術】
従来、組立式棚としては、種々のものが提案されている。例えば、実公平５−３５７１１号公報では、棚板としては、長方形の硬質板の四辺を同じ側に起立させて浅い箱状とした板材を用い、板材の４隅には短筒を固定し、棚板の短筒と支柱との隙間には棚板固定部材を挿入し、当該棚板固定部材としては、内面が支柱に密接して支柱を包囲し、かつ外面が円錐台状を呈する２部分からなるもので、しかも内面にはピンを突出させて支柱に設けられた孔内に陥入させるようにし、短筒は内側に奥に向かって狭くなる両端対称の円錐台状面を備え、その内側の円錐台状面が棚板固定部材における外側の円錐台状面の大径部分に密接する形状である棚板が開示されている。
【０００３】
【発明が解決しようとする課題】
しかしながら、前記実公平５−３５７１１号公報記載の棚板は、棚板を上下逆にしても用いることができるという特色を有しているが、棚板の短筒内部と、棚板固定部材との密接部分が少ないため、棚板の安定性が低く、棚板は支柱に充分強固に固定されていない。また、棚板固定部材の支柱への固定は、支柱の孔に２つのピンを陥入させるだけであるので、棚板固定部材の安定性も低い。
【０００４】
従って、本発明の目的は、棚板の被積載部における両面のいずれを上にしても棚板を使用することができ、かつ、棚板の安定性が高い組立式棚を提供することにある。
本発明の他の目的は、前記特性に加え、棚板ストッパーを支柱に強固に固定することができる組立式棚を提供することにある。
【０００５】
【課題を解決するための手段】
本発明者は、組立式棚において、棚板の受け穴部の内面と、筒状の棚板ストッパーの外面とを特定の構造にすると、棚板を両面のいずれを上にしても使用することができ、かつ棚板の安定性も高いことを見出し本発明を完成させた。すなわち、本発明は、棚板と、この棚板の受け穴部の内面に、筒状の棚板ストッパーを介して嵌合し上記棚板を支持する支柱とを備え、
上記棚板の受け穴部は、断面が略多角形の内面で構成されているとともに、当該略多角形の各内面が上下方向にテーパ面をなし、かつ当該各内面のテーパ面は円周方向に下向きのテーパ面と上向きのテーパ面とが交互に繰り返されて構成されており、
上記棚板ストッパーは、上記支柱の所望位置にて外装される構造で構成され、その外周面には上記棚板の受け穴部のテーパ面とは逆テーパとなる上向きのテーパ面と下向きのテーパ面とが円周方向に交互に繰り返されて構成されており、
上記棚板は、所望位置にて支柱に外装された上記棚板ストッパーに、棚板の受け穴部の内面のテーパ面と棚板ストッパーの外面のテーパ面相互間のくさび作用によって固定されることを特徴とする組立式棚である。
【０００６】
本発明の組立式棚では、棚板ストッパーのテーパ面の長さは、筒状の長さと同じ長さであり、筒状の棚板ストッパーの長さは、棚板を安定に保持するのに充分な長さを有するように調整することができる。従って、本発明の組立式棚では、棚板ストッパーのテーパ面全体で棚板を保持するため、棚板の安定性は高く、棚板は支柱に棚板ストッパーを介して強固に固定されている。
【０００７】
また、本発明では、棚板の受け穴部は、断面が略多角形の内面で構成されているとともに、当該略多角形の各内面が上下方向にテーパ面をなし、かつ当該各内面のテーパ面は円周方向に下向きのテーパ面と上向きのテーパ面とが交互に繰り返されて構成されており、棚板ストッパーは棚板の受け穴部に対応した構成を有しており、棚板の被積載部は両面のうちいずれの面を上にしても、受け穴部と棚板ストッパーとは合致させることができるため、棚板の被積載部は両面のうちいずれの面を上にしても棚板を使用することができる。
【０００８】
本発明では、棚板の受け穴部の内面のテーパ面と、棚板ストッパーの外面のテーパ面とはそれぞれ平面であることが好ましい。両面とも平面であると、棚板の受け穴部および棚板ストッパーとも、作製が容易であり、コストを低減することができる。
【０００９】
本発明の好ましい態様では、棚板の受け穴部の内面のテーパ面と、棚板ストッパーの外面のテーパ面とは、それぞれ、少なくとも４つの面で構成されている。棚板の受け穴部の内面、および棚板ストッパーの外面において、それぞれ少なくとも４つのテーパ面を有していると、より強固に棚板を支柱に固定し保持することができる。
【００１０】
また、棚板の受け穴部の内面のテーパ面と、棚板ストッパーの外面のテーパ面とは、いずれも傾斜方向に向かって幅が狭くなっていることが好ましい。このような構成を有していると、さらに一層強固に棚板を支柱に固定して保持することができ、棚板の安定性を一層高めることができる。すなわち、このように、上向きのテーパ面では、下方向に幅が広くなっていると、棚板は、棚板ストッパーのテーパ面の表面により保持されるだけでなく、テーパ面の幅によっても保持されるため、より一層棚板を固定して、安定させることができる。
【００１１】
さらに、本発明では、棚板ストッパーは、着脱自在な割構造であることが好ましい。このように、棚板ストッパーが着脱自在な構造を有していると、棚板ストッパーを適宜支柱の目的の場所に外装することができる。
【００１２】
特に本発明の好ましい態様では、支柱の外面には、軸方向に間隔をおいて凹部が設けられており、棚板ストッパーの内面には前記支柱の凹部に嵌合する凸部が設けられている。このような構成を有していると、棚板ストッパーを支柱に容易に取りつけることができ、かつ容易に取り外すことができる。
【００１３】
さらに、支柱の凹部は周溝であり、棚板ストッパーの内面の凸部は突条であると、一層強固に棚板ストッパーを支柱に固定することができる。特に、棚板ストッパーには、支柱の凹部のうち少なくとも２つの凹部に嵌合する凸部が設けられていると、より一層強固に棚板ストッパーを支柱に固定することができる。
【００１４】
【発明の実施の形態】
本発明を図面に基づいてさらに詳細に説明する。
【００１５】
図１は、本発明の組立式棚の一実施形態を示す概略図である。図において、１は組立式棚、２は棚板、３０は棚板２の被積載部、３１は棚板２の被積載部３０の一方の面、３２は棚板２の側面、４は棚板２の受け穴部、５は棚板ストッパー、６は支柱である。棚板２は平面３１と側面３２と、受け穴部４により構成されている。受け穴部４の内面は、断面が略多角形の内面で構成されているとともに、当該略多角形の各内面が上下方向にテーパ面をなし、かつ当該各内面のテーパ面は円周方向に下向きのテーパ面と上向きのテーパ面とが交互に繰り返されて構成されている。棚板ストッパー５は、支柱６の所望位置にて外装される構造で構成され、その外周面には棚板２の受け穴部４のテーパ面とは逆テーパとなる上向きのテーパ面と下向きのテーパ面とが円周方向に交互に繰り返されて構成されている。支柱６は円柱で構成されている。
【００１６】
このような組立式棚１では、４つの支柱６に、それぞれ、棚板ストッパー５を所望位置に外装し、棚板２の受け穴部４にそれぞれ支柱６を挿入し、受け穴部４を棚板ストッパー５と嵌め合わせ、棚板２を支柱６に棚板ストッパー５を介して嵌合し、棚板２を支柱６に支持させて組立式棚１を組み立てることができる。この組立式棚１では、棚板２は、所望位置にて支柱６に外装された棚板ストッパー５に、棚板２の受け穴部４の内面のテーパ面と棚板ストッパー５の外面のテーパ面相互間のくさび作用によって固定されている。
【００１７】
（棚板ストッパー）
図２は、図１における棚板ストッパー５の拡大概略図である。図１及び図２に係る棚板ストッパー５は筒状であるとともに、着脱自在の割構造を有しており、２分割の割構造を有している。図２（ａ）は棚板ストッパーを上方向から見た概略図であり、図２（ｂ）は棚板ストッパーを横方向から見た概略図であり、図２（ｃ）は棚板ストッパーを斜め上方向から見た概略図であり、図２（ｄ）は棚板ストッパーを下方向から見た概略図である。図２において、５１は棚板ストッパー５の２分割された一方の割部分であり、５２は棚板ストッパー５の２分割された他方の割部分である。また、５１０は割部分５１の内面であり、５１１は割部分５１の外面、５１２は割部分５１の外面、５１３は割部分５１の外面、５１４は割部分５１の外面、５１５は割部分５１の外面である。５２０は割部分５２の内面であり、５２１割部分５２の外面、５２２割部分５２の外面、５２３割部分５２の外面、５２４割部分５２の外面、５２５は割部分５２の外面である。
【００１８】
割部分５１の内面５１０の半径は、支柱６の外面の半径とほぼ同じ大きさを有しており、また、割部分５２も割部分５１と同様の形状を有しており、割部分５１及び割り部分５２により、支柱６の外面は外装される。すなわち、支柱６に両側から割部分５１と割部分５２とをかぶせて外装し、支柱６を、割部分５１と割部分５２とによる棚板ストッパー５により外装することができる。
【００１９】
割部分５１において、外面５１１は上向きのテーパ面であり、外面５１２は下向きのテーパ面であり、５１３は上向きのテーパ面であり、５１４は下向きのテーパ面であり、５１５は上向きのテーパ面である。また、割部分５２において、外面５２１は上向きのテーパ面であり、外面５２２は下向きのテーパ面であり、５２３は上向きのテーパ面であり、５２４は下向きのテーパ面であり、５２５は上向きのテーパ面である。割部分５１及び割部分５２において、両割部分（５１，５２）を合わせた棚板ストッパー５では、外面５１１と外面５２１とにより１つの上向きのテーパ面が構成され、外面５１５と外面５２５とにより１つの上向きのテーパ面が構成されている。
【００２０】
なお、図２において、５１３１は、上向きのテーパ面５１３において、テーパ面５１４側の側面である。５２３１は、上向きのテーパ面５２３において、テーパ面５２４側の側面である。このように、上向きのテーパ面は、上方向に高さが低くなっている。一方、下向きのテーパ面は、下方向に高さが低くなっている。従って、上向きのテーパ面の上部と下向きのテーパ面の上部とは、高さがほぼ同じであるが、上向きのテーパ面の下部と下向きのテーパ面の下部とは、高さが異なって、上向きのテーパ面の下部の方が高く、上向きのテーパ面では下向きのテーパ面側に側面が形成されている。すなわち、棚板ストッパーの厚みは、上向きのテーパ面の上部と下向きのテーパ面の上部とではほぼ同じであるが、上向きのテーパ面の下部と下向きのテーパ面の下部とでは異なり、上向きのテーパ面の下部における厚みの方が、下向きのテーパ面の下部における厚みより厚くなっており、その分、上向きのテーパ面の下部側において、側面が形成されている。
【００２１】
図２に係る棚板ストッパー５の外面は八角形である。本発明では、棚板ストッパーの外面の形状としては、略多角形であれば特に制限されないが、少なくとも４つの面で構成されていることが好ましい。図３は、棚板ストッパーの他の形態を示した概略図である。棚板ストッパーの断面の形状としては、例えば、図３（ａ）のような四角形や、図３（ｂ）のような六角形などの正多角形、図３（ｃ）のような５頂点による星形や、図３（ｄ）のような６頂点による星形などのギザギザの形状などが挙げられる。もちろん、これらの形状においても、棚板ストッパーの外面は、上向きのテーパ面と下向きのテーパ面とが交互に繰り返されて構成されている。
【００２２】
本発明では、棚板ストッパーのテーパ面は、球面であってもよいが、平面であることが好ましい。すなわち、本発明では、棚板ストッパーは、円周方向に平面による上向きのテーパ面と平面による下向きのテーパ面とが交互に繰り返されて構成されていることが好ましい。
【００２３】
また、本発明では、棚板ストッパーのテーパ面は、傾斜方向（高さが低くなる方向）に向かって幅が狭くなっていることが好ましい。従って、上向きのテーパ面では、上方向に幅が狭くなって、下向きのテーパ面では、下方向に幅が狭くなっていることが好ましい。
【００２４】
なお、棚板ストッパーは割構造であることが好ましい。この場合、棚板ストッパーは少なくとも２分割される割構造であればよい。従って、３分割、４分割される割構造であってもよい。好ましい割構造としては、２分割の割構造である。図２では、棚板ストッパー５における２つの割部分（５１，５２）どうしを正確に合わせるため、それぞれに凹部５１６、凸部５２６が形成されている。凹部５１６と凸部５２６とを嵌合するだけで、割部分５１の上部と割部分５２の上部とを正確に一致させることができる。もちろん、このような凹部、凸部は、テーパ面５１１およびテーパ面５２１側にも形成することができる。
【００２５】
棚板ストッパーの長さは特に制限されず、棚板の受け穴部の長さなどに応じて適宜選択することができる。
【００２６】
また、棚板ストッパーの内面の形状は、特に制限されず、支柱の形状に応じて適宜選択することができる。棚板ストッパーの内面は、支柱の外面の形状とほぼ同じ形状であり、棚板ストッパーは支柱に外装される構造で構成されている。
【００２７】
棚板ストッパーは支柱に外装される。この外装に際しては、支柱の外面には、軸方向に間隔をおいて凹部が設けられており、棚板ストッパーの内面には前記支柱の凹部に嵌合する凸部が設けられている方法を採用することが好ましい。
【００２８】
本発明では、支柱の外面に、軸方向に間隔をおいて凹部が設けられている場合、棚板ストッパーの内面には、支柱に設けられた凹部に対応する凸部が設けられている。すなわち、本発明では、支柱の外面に設けられた凹部と、棚板ストッパーの内面に設けられた凸部との嵌合により、棚板ストッパーを支柱に外装する方法を採用することができる。
【００２９】
このような外装方法としては、支柱の外面には凹部として周溝を形成し、棚板ストッパーの内面には凸部として、前記支柱の周溝に対応する突条を形成する方法が好適である。当該周溝と突条との嵌合方法では、棚板ストッパーを支柱に強固に固定して外装することができる。特に、支柱における複数の周溝（例えば、２つの周溝）に棚板ストッパーの突条が嵌合するような構成とすると、より一層強固に、棚板ストッパーを支柱に固定して外装することができる。なお、周溝とは、支柱の外面の周囲にわたって設けられた溝のことを意味している。
【００３０】
このような周溝及び突条としては、例えば、図４のような構成を例示することができる。図４において、５３１は棚板ストッパー５の内面に設けられた突条、５３２は棚板ストッパー５の内面に設けられた突条であり、６１１は支柱６に設けられた周溝、６１２は支柱６に設けられた周溝、６１３、６１４なども同様の周溝である。図４では、棚板ストッパー５の突条（５３１，５３２）は、支柱６の周溝（６１１，６１２、…）のうちの隣り合った２つの周溝と対応しており、棚板ストッパー５の突条（５３１，５３２）は、支柱６の周溝のうち隣り合った２つの周溝に嵌合させることができる。
【００３１】
棚板ストッパーは、金属類（例えば、ステンレス、鉄、アルミニウムなど）、プラスチック類（例えば、ポリプロピレン、アクリロニトリル−ブタジエン−スチレン共重合体、アクリル系樹脂など）などにより作製することができる。好ましい棚板ストッパーの素材は、プラスチック類であり、特に硬質のプラスチック類が好適に用いられる。
【００３２】
（棚板）
図５は、図１における棚板２の拡大概略図である。図５（ａ）は、棚板２の被積載部３０における一方の面３１を上にしたときの概略図であり、図５（ｂ）は、棚板２の被積載部３０における一方の面３３を上にしたときの概略図である。図１および図５に係る棚板２において、３０は棚板の被積載部、３１は棚板２の被積載部３０における一方の面、３２は棚板２の側面、３３は棚板２の被積載部３０における他方の面、４は棚板２の受け穴部である。棚板２は、棚板２の被積載部３０における面３３の周囲に周壁部を備えた箱形形状を有している。従って、棚板の一方の面３１と、棚板の他方の面３３とは、棚板２の被積載部３０において、表面・裏面の関係、または上面・下面の関係を有している。
【００３３】
図５では、被積載部３０は全面が１枚の板で構成されているが、被積載部の構造は特に制限されない。被積載部は、例えば、格子状又は網目状などの形状で構成されていてもよい。なお、被積載部の大きさ又は面積は特に制限されない。
【００３４】
また、図５では、棚板２には側面３２が形成されているが、当該側面の有無も特に制限されず、側面は設けられていなくてもよい。棚板に側面を形成する場合、側面の高さは、受け穴部の筒状の長さとほぼ同じ長さで形成されることが好ましい。なお、図５において、側面３２は、被積載部３０の面３３を上にして組み立てて、組立式棚１を作製した場合、被積載部３０の周壁として、積載物の落下防止の機能を有している。
【００３５】
図５では、棚板２の受け穴部４は、被積載部３０の各コーナー（４つのコーナー）に設けられているが、本発明では、受け穴部の設置位置は特に制限されない。好ましい受け穴部の設置位置は被積載部の各コーナーである。
【００３６】
受け穴部は筒状であり、その内面は、前述のように、断面が略多角形で構成されている。当該断面の略多角形の形状は、前記棚板ストッパーの形状に対応しており、棚板ストッパーの形状に応じて選択することができる。
【００３７】
筒状の受け穴部において、断面の略多角形の各内面は、上下方向にテーパ面を形成しており、かつ当該各内面のテーパ面は円周方向に下向きのテーパ面と上向きのテーパ面とが交互に繰り返されている。当該受け穴部４の内面のテーパ面は、前記棚板ストッパー５の外面のテーパ面（５１１〜５１５、５２１〜５２５）と対応しており、両テーパ面間は逆テーパの関係を有しており、両テーパ間のくさび作用によって、棚板２が固定されている。
【００３８】
受け穴部の筒状の長さは、特に制限されず、棚板の最大積載重量、棚板ストッパーの形状などに応じて選択することができる。
【００３９】
棚板は、金属類（例えば、ステンレス、鉄、アルミニウムなど）、プラスチック類（例えば、ポリプロピレン、アクリロニトリル−ブタジエン−スチレン共重合体、アクリル系樹脂など）などにより作製することができる。棚板の素材としては、金属類、特にステンレスが好適に用いられる。なお、棚板において、被積載部、側面、受け穴部などは、すべて同じ素材で形成されていてもよく、それぞれ異なる素材で形成されていてもよい。
【００４０】
（支柱）
図６は、図１における支柱６の拡大概略図である。図６では、支柱６には、凹部として周溝（６１１〜６１７）が形成されている。支柱において、外面の凹部の構造は特に制限されないが、前述のように、凹部として周溝を採用すると、より強固に棚板ストッパーを支柱に外装することができる。また、周溝などの凹部の個数も特に制限されず、使用用途などに応じて選択することができる。
【００４１】
支柱の長さは特に制限されず、組立式棚における種々の用途に応じて選択することができる。なお、図１では支柱は４本であるが、支柱の本数も制限されず、組立式棚の用途や棚板の受け穴部の個数などに応じて選択することができる。
【００４２】
また、図６では、支柱は円柱であるが、支柱は三角柱、四角柱などの断面が略多角形の柱であってもよい。もちろん、支柱の柱における径の大きさも特に制限されない。
【００４３】
支柱は、金属類（例えば、ステンレス、鉄、アルミニウムなど）、プラスチック類（例えば、ポリプロピレン、アクリロニトリル−ブタジエン−スチレン共重合体、アクリル系樹脂など）などにより作製することができる。支柱としては、金属類、特に鉄、ステンレスによって好適に作製される。
【００４４】
本発明の組立式棚には、組立式棚において用いられている付属品、例えば、レッジ、デバイダー、サイドハンドル、三方クロスバー、ボールクランプ、メタルマット、キャスターなどが付属していてもよい。
【００４５】
本発明の組立式棚は、従来の組立方法と同様の方法、すなわち、支柱の所望の位置に棚板ストッパーを外装し、棚板を棚板の筒状の受け穴部内に支柱を挿入し、棚板ストッパーを介して、棚板を支柱に固定させるという方法により、組み立てることができる。従って、本発明の組立式棚は、従来の組立方法と同様の方法により組み立てることができ、棚板の安定性も高いという特性を有している。
【００４６】
本発明の組立式棚は、棚板の安定性が高く、棚板は支柱に強固に固定されており、また、棚板は棚板の被積載部のいずれを上にしても使用することができる。さらに、本発明では、支柱に対する棚板ストッパーの固定を一層強固することもできる。従って、本発明の組立式棚は極めて有用である。
【００４７】
【発明の効果】
本発明の組立式棚では、上記構成を有しているので、棚板の被積載部における両面のいずれを上にしても棚板を使用することができ、かつ棚板の安定性が高い。また、支柱に対する棚板ストッパーの固定を一層強固にすることもできる。
【図面の簡単な説明】
【図１】  図１は本発明の組立式棚の一実施形態を示す概略図である。
【図２】  図２は図１における棚板ストッパーの拡大概略図である。図２（ａ）は上方向から見た概略図、図２（ｂ）は横方向から見た概略図、図２（ｃ）は斜め上方向から見た概略図、図２（ｄ）は下方向から見た概略図である。
【図３】  図３は棚板ストッパーの他の形態を示す断面概略図である。
【図４】  図４は棚板ストッパー及び支柱の一実施形態を示す要部拡大概略図である。
【図５】  図５は図１における棚板の拡大概略図である。図５（ａ）は棚板の被積載部において、一方の面を上にしたときの概略図であり、図５（ｂ）は他方の面を上にしたときの概略図である。
【図６】  図６は図１における支柱の拡大概略図である。
【符号の説明】
１        組立式棚
２        棚板
３０      棚板の被積載部
３１      棚板の被積載部の一方の面
３２      棚板の側面
３３      棚板の被積載部の他方の面
４        棚板の受け穴部
５        棚板ストッパー
５１      棚板ストッパーにおける一方の割部分
５２      棚板ストッパーにおける他方の割部分
５１１    棚板ストッパーのテーパ面
５１２    棚板ストッパーのテーパ面
５２１    棚板ストッパーのテーパ面
５２２    棚板ストッパーのテーパ面
５３１    棚板ストッパーの突条
５３２    棚板ストッパーの突条
６        支柱
６１１    支柱の周溝
６１２    支柱の周溝
【図１】
0004172853.tif 000002
【図２】
0004172853.tif 000003
【図３】
0004172853.tif 000004
【図４】
0004172853.tif 000005
【図５】
0004172853.tif 000006
【図６】
0004172853.tif 000007